(57)【要約】【課題】カットテープの切断を確実に防止することによって米飯加工食品を包んだ包装シートの解包を常に適正に行うことができるようにする。【解決手段】おにぎりＲを包み込むように包装するための外側シート２０および内側シート３０からなるシート本体と、該シート本体の中央部に長手方向の全長に亘って溶着されたカットテープ４０とを備えてなり、包装シート１０の四隅のそれぞれに切り込まれて形成した切欠部がそれぞれ設けられ、一方の長尺縁部１４側の一対の切欠部として円弧状切欠部１３が採用されている。【選択図】　図１
2004033176.tif 000002
【特許請求の範囲】
【請求項１】
平面視矩形状で略中央部に米飯加工食品が載置された際長手方向に向けて折り返されることにより当該米飯加工食品を包み込むように包装するシート本体と、該シート本体を長手方向に亘って切断するための切断手段とを備えてなる米飯加工食品用包装シートにおいて、前記シート本体の少なくとも長手方向両隅部に円弧状の一対の切欠部が設けられてなることを特徴とする米飯加工食品用包装シート。
【請求項２】
前記切欠部は、シート本体の両側縁の各隅部に設けられてなることを特徴とする請求項１記載の米飯加工食品用包装シート。
【請求項３】
前記シート本体は、１枚のシートからなることを特徴とする請求項１または２記載の米飯加工食品用包装シート。
【発明の詳細な説明】
【０００１】
【発明の属する技術分野】
本発明は、おにぎり等の米飯加工食品を包装するために用いられる米飯加工食品用包装シートに関するものである。
【０００２】
【従来の技術】
従来、図１１に示すようなおにぎり（米飯加工食品）用の包装シート１００が知られている。この包装シート１００は、外側シート２００と、この外側シート２００に重ねられた左右一対の内側シート３００とを備えて構成されている。外側シート２００と一対の内側シート３００とは、周縁部に形成された溶着縁部１１０によって一体化されている。これらシート２００，３００間には収納空間Ｖが形成され、当該収納空間Ｖに予め海苔（シート状食品）Ｓが装填されている。また、外側シート２００には、内面側の幅方向の中央部に長手方向に延びるようにカットテープ４００が溶着されている。
【０００３】
かかる包装シート１００の四隅部には、略Ｌ字状に切り込まれて形成したＬ字状切欠部１２０が設けられている。このＬ字状切欠部１２０は、カットテープ４００と平行に方向設定された第１切欠縁部１２０ａと、この第１切欠縁部１２０ａの終端部から当該第１切欠縁部１２０ａと鈍角をなすように外方に向かって斜めに形成された第２切欠縁部１２２とからなっている。
【０００４】
そして、三角形状のおにぎりＲが、二点鎖線で示すように内側シート３００の中央部に載置され、互いに対向する方向に向けて折り返されたのち、包装シート１００の対向した隅部同士が互いに重ね合わされた状態で当該重ね合わされた部分でおにぎりＲを巻き付け、引き続き粘着テープТで止めることにより、おにぎりＲは、図１２の（イ）に示すように、包装シート１００によって包装された状態になる。このようにおにぎりＲが包装されると、一対のＬ字状切欠部１２０の第１切欠縁部１２０ａ同士が略１２０°の開き度で互いに交差した状態になる。
【０００５】
このような包装シート１００によって包装されたおにぎりＲを解包するに際しては、カットテープ４００の端部を指で摘んで、図１２の（イ）に矢印で示すように、外方に向かって引張ればよい。これによって外側シート２００は、カットテープ４００の両側部外方が一対の切り込み２１を始点にして当該カットテープ４００に誘導されつつ切断していき、外側シート２００が２分割されることによって包装シート１００から海苔Ｓに包まれたおにぎりＲを取り出すことができる。
【０００６】
【発明が解決しようとする課題】
ところで、上記のような従来の包装シート１００にあっては、カットテープ４００を引っ張ることによって外側シート２００から帯状に切断されて形成した切断帯２２０が、おにぎりＲの表面を略半周した状態で、一対のＬ字状切欠部１２０間に入り込むことになるが、このとき切断帯２２０の縁部が第１切欠縁部１２０ａと第２切欠縁部１２２との交差位置に形成されたＶ字状の部分に嵌り込んで引っ掛かった状態になってしまうことがある。
【０００７】
このとき、切断帯２２０が、図１２の（ロ）に示すように、特に下層側のＬ字状切欠部１２０に引っ掛った状態で無理に切断帯２２０を引っ張ると、包装シート１００の下層側の隅部は、上層側の隅部によって押圧されて捲れ難くなっているため、外側シート２００の切断に先立って切断帯２２０およびカットテープ４００が切断してしまう場合がある。こうなると外側シート２００が完全に２分割されないため、おにぎりＲから包装シート１００を二つ割れ状態で分離することができなくなり、これによっておにぎりＲを包装シート１００から適正に取り出すことができなくなるという不都合が生じる。
【０００８】
本発明は、上記のような問題点を解消するためになされたものであり、カットテープの切断を確実に防止することによって米飯加工食品を包んだ包装シートの解包を常に適正に行うことができる米飯加工食品用包装シートを提供することを目的としている。
【０００９】
【課題を解決するための手段】
請求項１記載の発明は、平面視矩形状で略中央部に米飯加工食品が載置された際長手方向に向けて折り返されることにより当該米飯加工食品を包み込むように包装するシート本体と、該シート本体を長手方向に亘って切断するための切断手段とを備えてなる米飯加工食品用包装シートにおいて、前記シート本体の少なくとも長手方向両隅部に円弧状の一対の切欠部が設けられてなることを特徴とするものである。
【００１０】
この発明によれば、例えば三角形状を呈した米飯加工食品を包装シートの中央部に載置した状態で、当該包装シートの端縁部のそれぞれを米飯加工食品に向けて折り返した上で、積層された各端縁部を米飯加工食品に巻き付けた後、各端縁部の重なり合った部分を例えば粘着テープで止めることにより、米飯加工食品が包装シートによって包装された状態になる。
【００１１】
そして、シート本体の少なくとも長手方向両隅部に円弧状の一対の切欠部が設けられているため、米飯加工食品を挟んでシート本体の各端縁部を折り返すことにより、各端縁部が重なり合った部分の少なくとも一方の隅部は一対の円弧状切欠部が重なり合った状態にすることができる。
【００１２】
この場合、重なり合った円弧状切欠き部が下層になるようにシート本体の隅部を折り返して米飯加工食品をさらに包み、積層された各端縁部を粘着テープ等で止めるようにすれば、包装シートの解包時に例えばカットテープ等の切断手段の端部を指で摘んで引っ張ることにより、切断手段は、米飯加工食品の周面を略半周した後に円弧状の切欠部に捕捉されことになるが、切断手段が円弧状の切欠部の滑らかな曲線によって誘導されることになるため、切断手段がＬ字状の切欠部の角の部分に引っ掛かって切断されてしまうような不具合の生じることはなく、シート本体は、切断手段によって常に確実に二分され、包装シートから適正に米飯加工食品を取り出し得なくなるような不都合の発生を確実に防止することができる。
【００１３】
なお、他方側の重なり合った切欠き部は、たとえ円弧状に形成されていなくても、前記円弧状切欠き部の上層で捲れ易くなっているため、切断手段は、かかる切欠き部に干渉されることはなく、他方側の切欠き部に引っ掛かって切断されてしまうような不都合は生じない。
【００１４】
請求項２記載の発明は、請求項１記載の発明において、前記切欠部は、シート本体の両側縁の各隅部に設けられてなることを特徴とするものである。
【００１５】
この発明によれば、切欠部の全てが円弧状に形成されていることにより、米飯加工食品を包装シートで包むに際し、いずれの長尺縁部を先に米飯加工食品に巻き付けるかを一々考慮する必要はなく、その分、包装シートによる米飯加工食品の包装操作が迅速化する。
【００１６】
請求項３記載の発明は、請求項１または２記載の発明において、前記シート本体は、１枚のシートからなることを特徴とするものである。
【００１７】
この発明によれば、シート本体が１枚のシート体で形成されているため、複数枚で形成されたものに比べて製造コストの低減化に貢献する。
【００１８】
【発明の実施の形態】
図１は、本発明に係る包装シートの一実施形態を示す一部切欠き斜視図であり、図２はその平面図である。また、図３は、図１のＡ−Ａ線断面図であり、図４は、同Ｂ−Ｂ線断面図である。さらに、図５は、おにぎりが包装シートによって包装された状態を示す斜視図である。
【００１９】
図１〜図４に示すように、本発明に係る包装シート１０は、おにぎりＲを包装した状態で外面側になる外側シート２０と、該外側シート２０に積層される幅方向一対の内側シート３０と、外側シート２０の内面側に溶着されたカットテープ４０とを備えた基本構成を有している。本実施形態においては、１枚のシート本体の両側部を対向方向に向けて折り返することにより外側シート２０と内側シート３０とを形成させるようにしている。そして、シート体が折り返された部分および端縁部に溶着処理による溶着縁部１１が形成されることによって袋状とされ、当該袋の内部に収納空間Ｖが形成されている。この収納空間Ｖに海苔Ｓなどのシート状食品が収納される。
【００２０】
本実施形態においては、シート体として長手方向に向けて一軸延伸処理の施されたポリエチレンやポリプロピレン等からなる透明な合成樹脂材料が採用され、おにぎり（米飯加工食品）Ｒが包装シート１０によって包装された状態で外部から海苔Ｓを外側シート２０を通して視認し得るようになっている。
【００２１】
かかる包装シート１０は、本実施形態においては、幅寸法が略１４０ｍｍに寸法設定されているとともに、長さ寸法が略２２０ｍｍに寸法設定されている。かかる寸法設定を行うことにより、通常の大きさに形状設定されたおにぎりＲを、図１に示すように包装シート１０の中央部に載置した後、包装シート１０の長手方向の各側部を上方に向けて折り返した上で包み込み、包装シート１０の重なり合っている部分に粘着テープを貼付することによって、図５に示すように、おにぎりＲが海苔Ｓ入りの包装シート１０によって包装された状態になる。
【００２２】
かかる包装シート１０の外側シート２０には、幅方向の中央部における内側シート３０に対する対向面に、長手方向の全長に亘ってカットテープ４０が溶着されているとともに、外側シート２０における当該カットテープ４０の左右位置には端縁から切り込まれて形成した一対の切り込み２１が設けられ、おにぎりＲが包装された状態（図５）において、当該切り込み２１間のカットテープ４０を指で摘んで引き剥がすことにより、外側シート２０は長手方向の全長に亘って切断されて切断帯２２が形成されるようになっている。
【００２３】
前記各内側シート３０は、幅寸法が外側シート２０の幅寸法の１／２より若干長めに寸法設定され、これによって外側シート２０に積層されて溶着縁部１１が形成された状態で基端側（包装シート１０の幅方向の中心側）が互いに重なり合うように寸法設定されている。かかる一対の内側シート３０の内の一方側（図１および図２の左側）には、幅方向の基端縁部から延設された長手方向の全長に亘って延びる折返しシート片３１が設けられ、かかる折返しシート片３１が一方の内側シート３０に折り重ねられた状態で溶着縁部１１が形成されている。
【００２４】
また、本実施形態においては、特に内側シート３０にエンボス処理が施されている。該エンボス処理により内側シート３０に凹凸が形成されるため、おにぎりＲに対する内側シート３０の合計接触面積が小さくなり、その分内側シート３０はおにぎりＲに粘着し難くなっておにぎりＲを包んだ包装シート１０の開包が容易に行われるようになる。
【００２５】
そして、包装シート１０の四隅には、角が切り込まれることによって形成した切欠部が設けられている。切欠部として、図１１に示すような、従来と同様のＬ字状切欠部１２と、本発明に係る円弧状切欠部１３とが存在する。本実施形態においては、一方の長尺縁部１４（図２では右側の長尺縁部１４）の両隅部に円弧状切欠部１３が設けられている一方、他方の長尺縁部１４側には従来と同様のＬ字状切欠部１２が設けられている。
【００２６】
円弧状切欠部１３は、Ｌ字状切欠部１２における第１切欠縁部１２ａと第２切欠縁部１２ｂとの交差部分を滑らかな円弧状に形状設定することにより形成されている。これによって円弧状切欠部１３には急激に方向の変わる部分が存在しなくなっている。
【００２７】
図６〜図７は、本発明の作用を説明するための説明図であり、図６の（イ）は、おにぎりＲが包装シート１０の中央部に載置された状態、図６の（ロ）は、おにぎりＲが包装シート１０によって包装されつつある状態、図７の（イ）は、おにぎりＲが包装シート１０によって包装された状態、図７の（ロ）は、おにぎりＲを包装した包装シート１０が解包されつつある状態をそれぞれ示している。
【００２８】
おにぎりＲを包装するに際しては、まず、図６の（イ）に示すように、三角形状を呈したおにぎりＲの表裏面を包装シート１０の長手方向に延びる中心線と直交ささせた状態で当該おにぎりＲを包装シート１０の中央部に載置する。この状態で、包装シート１０の各端部を上方に向けて折り返す。そうすると、おにぎりＲは、図６の（ロ）に示すように、包装シート１０のＬ字状切欠部１２が設けられている側によって包まれた状態になる。
【００２９】
そして、この状態では、互いに折り重ねられた包装シート１０の図６の（ロ）における右側の隅部は、一対の円弧状切欠部１３が互いに重ねられた状態になっている一方、左側の隅部は、一対のＬ字状切欠部１２が互いに重ねられた状態になっている。
【００３０】
この状態で、折り重ねられた包装シート１０の右側の隅部をまず手前側に向けて折り曲げておにぎりＲに巻き付けるようにし、引き続き左側の隅部をおにぎりＲに巻き付けるように折り曲げることによって、円弧状切欠部１３がＬ字状切欠部１２によって覆われた状態になる。
【００３１】
ついで、各隅部の重なり合った部分に粘着テープТを貼付することにより、図７の（イ）に示すように、おにぎりＲが包装シート１０によって包装される。そして、このような包装処理が完了すると、右側に一対の円弧状切欠部１３が位置しているとともに、左側に円弧状切欠部１３の一部（図７における上部）を覆った一対のＬ字状切欠部１２が位置し、これら切欠部１２，１３が下開きで互いに交差した状態になっている。
【００３２】
この状態でカットテープ４０を指で摘んで矢印方向へ向けて引っ張ると、外側シート２０がカットテープ４０に誘導されて切断し、切断帯２２が形成されていくことになる。
【００３３】
そして、かかるカットテープ４０の引っ張り操作を継続することにより、切断帯２２は、おにぎりＲの表面を半周し、図７の（ロ）に示すように、右側の円弧状切欠部１３に当接した状態になるが、円弧状切欠部１３にはＬ字状切欠部１２のような直線状の第１切欠縁部１２ａと同第２切欠縁部１２ｂとの交差部分が存在せず、滑らかな曲線によって形成されているため、切断帯２２が前記交差部分に引っ掛かって当該切断帯２２およびカットテープ４０が切断してしまうような不都合の発生が有効に防止される。
【００３４】
したがって、図７の（ロ）に示す状態で、切断帯２２の引っ張り操作をさらに継続することにより、粘着テープТがカットテープ４０によって切断され、かつ、重なり合った包装シート１０の各隅部の重なり状態が解消され、外側シート２０がカットテープ４０に沿って最後まで切断されることにより包装シート１０は左右への二分割が可能になる。
【００３５】
なお、左側の隅部に形成されたＬ字状切欠部１２は、円弧状切欠部１３の上層にあって捲れ易い状態になっているため、切断帯２２およびカットテープ４０がこのＬ字状切欠部１２に引っ掛かるような不都合は生じない。
【００３６】
以上詳述したように、本実施形態の包装シート１０は、おにぎりＲを包み込むように包装するための外側シート２０および内側シート３０からなるシート本体と、該シート本体の中央部に長手方向の全長に亘って溶着されたカットテープ４０とを備えてなり、包装シート１０の四隅のそれぞれに切り込まれて形成した切欠部がそれぞれ設けられ、一方の長尺縁部１４側の一対の切欠部は、円弧状に形成された円弧状切欠部１３としている。
【００３７】
したがって、円弧状切欠部１３を有する側の長尺縁部１４が下層となるように包装シート１０でおにぎりＲを包んで包装することにより、解包に際しカットテープ４０の端部を指で摘んで引っ張れば、外側シート２０の切断で得られた切断帯２２は、おにぎりＲの周面を略半周した後に一対の円弧状切欠部１３に捕捉されことになるが、切断帯２２およびカットテープ４０は、円弧状切欠部１３の滑らかな曲線によって誘導されることになるため、Ｌ字状切欠部１２の場合は切断帯２２が当該Ｌ字状切欠部１２の角の部分に引っ掛かって切断帯２２およびカットテープ４０が切断されてしまうような不具合が生じることはなく、外側シート２０は、カットテープ４０によって常に確実に二分され、包装シート１０から適正におにぎりＲを取り出し得なくなるような不都合の発生を確実に防止することができる。
【００３８】
本発明は、上記の実施形態に限定されるものではなく、以下の内容をも包含するものである。
【００３９】
（１）上記の実施形態においては、包装シート１０の一方の長尺縁部１４側に円弧状切欠部１３が設けられているとともに、他方の長尺縁部１４側にＬ字状切欠部１２が設けられているが、本発明は、他方の長尺縁部１４側にＬ字状切欠部１２を設けることに限定されるものではなく、図８に示すように、他方の長尺縁部１４側（図８の左方）に特にＬ字状切欠部１２を設けなくてもよい。
【００４０】
その理由は、他方の長尺縁部１４を、円弧状切欠部１３の上層になるようにおにぎりＲを包装すれば、上層の隅部はＬ字状切欠部１２の有無に拘らず捲れ易い状態になるためである。
【００４１】
（２）上記の実施形態において、図９に示すように、包装シート１０の四隅の全てに円弧状切欠部１３を設けてもよい。こうすることによって、おにぎりＲを包装シート１０で包装するに際し、いずれの長尺縁部１４側を先におにぎりＲに巻き付けるかを一々考慮する必要がなく、その分、包装シート１０によるおにぎりＲの包装作業の効率化を図ることができる。
【００４２】
（３）上記の実施形態においては、包装シート１０を１枚のシート体を折り返し処理することによって形成しているが、本発明は、包装シート１０を１枚のシート体から形成することに限定されるものではなく、別体としての外側シート２０および内側シート３０をそれぞれ積層することによって包装シート１０を構成してもよい。
【００４３】
（４）上記の実施形態においては、包装シート１０は、外側シート２０と内側シート３０との二層構造で構成されているが、特に包装シート１０内に海苔Ｓを装填しない場合や、予め海苔Ｓが巻き付けられているようなおにぎりＲを包装するような場合には、内側シート３０を用いることなく外側シート２０のみを備えて包装シート１０を構成してもよい。
【００４４】
（５）上記の実施形態においては、円弧状切欠部１３は、端縁が円弧状の曲線に沿うように形成されているが、例えば、図１０に示すように、切欠き部の縁部がジグザグ状などになっていても、ジグザグ状の基端部分を結んだ包絡線的な曲線Ｋが円弧状にさえなっていれば、かかるジグザグ状の縁部は本発明の円弧状切欠部１３の範囲に含まれる。
【００４５】
【発明の効果】
以上詳述したように、本発明の包装シートによれば、シート本体の少なくとも一方の長尺縁部の各隅部に円弧状に形成された一対の切欠部が設けられているため、当該円弧状切欠き部が下層になるようにシート本体で米飯加工食品を包み込んで包装することにより、当該シート本体の解包時に切断手段の端部を指で摘んで引っ張れば、切断手段は、米飯加工食品の周面を略半周した後に円弧状の切欠部に捕捉されて円弧状の切欠部の滑らかな曲線によって誘導される。したがって、従来のＬ字状の切欠部の場合、切断手段が当該切欠部の角の部分に引っ掛かって切断されてしまうような不具合の生じることはなく、シート本体は、切断手段によって常に確実に二分され、包装シートから適正に米飯加工食品を取り出し得なくなるような不都合の発生を確実に防止することができる。
【図面の簡単な説明】
【図１】本発明に係る包装シートの一実施形態を示す一部切欠き斜視図である。
【図２】図１に示す包装シートの平面図である。
【図３】図１のＡ−Ａ線断面図である。
【図４】図１のＢ−Ｂ線断面図である。
【図５】おにぎりが包装シートによって包装された状態を示す斜視図である。
【図６】本発明の作用を説明するための説明図であり、（イ）は、おにぎりが包装シートの中央部に載置された状態、（ロ）は、おにぎりが包装シートによって包装されつつある状態をそれぞれ示している。
【図７】本発明の作用を説明するための説明図であり、（イ）は、おにぎりが包装シートによって包装された状態、（ロ）は、おにぎりを包装した包装シートが解包されつつある状態をそれぞれ示している。
【図８】本発明に係る包装シートの他の実施形態を示す平面図である。
【図９】本発明に係る包装シートのさらに他の実施形態を示す平面図である。
【図１０】円弧状切欠部の他の例を示す平面視の部分拡大図である。
【図１１】従来の包装シートを例示する平面図である。
【図１２】おにぎりが従来の包装シートによって包装された状態を示す斜視図であり、（イ）は、包装シートがカットテープにより解包される直前の状態、（ロ）は、解包途中でカットテープがＬ字状切欠部の角部に当接した状態をそれぞれ示している。
【符号の説明】
１０　包装シート
１１　溶着縁部
１２　Ｌ字状切欠部
１２ａ　第１切欠縁部
１２ｂ　第２切欠縁部
１３　円弧状切欠部
１４　長尺縁部
２０　外側シート
２１　切り込み
２２　切断帯
３０　内側シート
３１　シート片
４０　カットテープ
Ｒ　おにぎり（米飯加工食品）
Ｓ　海苔（シート状食品）
Ｖ　収納空間
Т　粘着テープ
【図１】
2004033176.tif 000003
【図２】
2004033176.tif 000004
【図３】
2004033176.tif 000005
【図４】
2004033176.tif 000006
【図５】
2004033176.tif 000007
【図６】
2004033176.tif 000008
【図７】
2004033176.tif 000009
【図８】
2004033176.tif 000010
【図９】
2004033176.tif 000011
【図１０】
2004033176.tif 000012
【図１１】
2004033176.tif 000013
【図１２】
2004033176.tif 000014